(57)【特許請求の範囲】
【請求項１】
液体包装容器用の飲用ストローであって、
吸い口側の上端及び該容器側の下部を備え、該上端近傍から該下部まで蛇腹構造を有する管状ストロー本体と、
該容器のストロー孔に突き刺される漏斗状ストロー先端部とを備え、
該ストロー先端部が、開口を有する尖った狭径の下端と該ストロー本体と気密的に連通する広径の上端とを有し、
該ストロー本体の少なくとも下端の径が該ストロー孔の径より狭く、該ストロー先端部の上端の径が該ストロー孔の径より広い、
ことを特徴とする飲用ストロー。
【発明の詳細な説明】
【技術分野】
【０００１】
本発明は、飲用ストローに関し、詳しくは、ストロー本体に蛇腹構造を有する飲用ストローに関する。
【背景技術】
【０００２】
従来、液体容器用の飲用ストローでは、ストローを容器の頂面に形成されたストロー孔に突き刺すことによって、使用者がストロー上端から吸って、牛乳やジュース等の液体飲料、流動食、シロップ、液体薬などの内容液を飲用することができる。
図３に従来例を示すように、ストロー１を容器２の頂面３に形成されたストロー孔４に突き刺すことによって、使用者がストロー上端１ａから吸って、内容液を飲用することができる。
【０００３】
このストローは、牛乳やジュース等の液体飲料が充填密封された液体食品容器に、飲用ストロー包装体としてその容器の側面に仮接着されている。（例えば、特許文献１参照）
その他のストローに、ストロー管状本体の上半分の一部に蛇腹構造を設けて、所謂、曲がるストローがある。
【特許文献１】特開２００３−４０３３４号公報。
【発明の開示】
【発明が解決しようとする課題】
【０００４】
しかしながら、従来のストローで液体食品を飲用する場合、飲用された内容物の容積が減少するために、ストローから空気が容器内に入り、かなりの雑音が発生することがある。そのために、ストロー外周に縦溝が設けられている。
本発明は、ストロー本体を曲げて吸い口の位置及び方向を自在に変えることができ、飲用時にストロー外周とストロー孔内面との間隙から空気が容器内に入り、異音が発生することがない飲用ストローを提供することを目的とする。
【課題を解決するための手段】
【０００５】
本発明の飲用ストローは、液体包装容器用のストローであって、
吸い口側の上端及び容器側の下部を備え、上端近傍から下部まで蛇腹構造を有する管状ストロー本体と、
容器のストロー孔に突き刺す漏斗状ストロー先端部とを備え、
ストロー先端部が、開口を有する尖った狭径の下端とストロー本体と気密的に連通する広径の上端とを有し、
ストロー本体の少なくとも下端の径がストロー孔の径より狭く、ストロー先端部の上端の径がストロー孔の径より広い、ことを特徴とする。
【発明の効果】
【０００６】
本発明の飲用ストローは、液体包装容器用のストローである。
液体包装容器の内容物をストローの吸い口から飲用することができる。
本発明の飲用ストローの管状ストロー本体は、吸い口側の上端及び容器側の下部を備え、上端から下部まで蛇腹構造を有する。
【０００７】
蛇腹とは、山折りと谷折りの繰り返し構造である。この発明に於いて、管状であり、円筒形構造を有する。本発明の飲用ストローは、次の二つの機能の両方を利用する。
蛇腹の両端から押すことによって、容積が可変な空間を作り出すことができる体積の可変機能と、両端の位置関係を伸縮方向のみならずそれと直角な方向においても自由に決めることができる曲げの可変機能と、を利用することができる。
【０００８】
本発明の飲用ストローは、容器のストロー孔に突き刺される漏斗状ストロー先端部を備え、ストロー先端部が、開口を有する尖った狭径の下端とストロー本体と気密的に連通する広径の上端とを有する。
尖った下端で、容易に容器のストロー孔に突き刺し、開封することができる。ストロー先端部が漏斗状形状であるので、開封したストロー孔をより広く開口することができる。
【０００９】
本発明の飲用ストローは、ストロー先端部の上端では、ストロー本体と気密的に連通する広径であり、ストロー先端部の上端の径がストロー孔の径より広い。
上記構造から、尖った下端でストロー孔を開封し、ストロー先端部の漏斗状形状でストロー孔を広く開口し、ストロー先端部の上端がストロー孔を通過した後、ストロー先端部の上端の径がストロー孔の径より広いので、ストロー先端部の上端がストローが戻って抜けることを防止するストッパー機能を発揮する。
【００１０】
本発明の飲用ストローは、ストロー先端部の上端では、ストロー本体と気密的に連通する広径であり、ストロー本体の少なくとも下端の径がストロー孔の径より狭い。
上記構造から、尖った下端でストロー孔を開封し、ストロー先端部の上端がストロー孔を通過した後、ストロー本体の下端の径がストロー孔の径より狭いので、飲用時にストロー外周とストロー孔内面との広い間隙から空気が容器内に入って異音が発生することがない。
【００１１】
本発明の飲用ストローでは、ストロー本体を曲げて吸い口の位置及び方向を自在に変えることができ、飲用時にストロー外周とストロー孔内面との間隙から空気が容器内に入って異音が発生することがない。
【発明を実施するための最良の形態】
【００１２】
以下、本発明の実施の形態について図面を参照しながら詳細に説明する。
図１は、この発明による一実施例におけるストロー１がストロー孔４に差込まれた紙容器２を示す斜視図（ａ）、蛇腹が縮じまったストローを示す側面図（ｂ）、蛇腹が伸びたストローを示す側面図（ｃ）である。図２は、この発明による実施例のストロー１を使用するステップを示す一部断面側面図である。
【００１３】
図１（ａ）に示す実施例によるストロー１は、液体包装容器２に用いられるストローである。液体包装容器の内容物をストロー１の吸い口１ａから飲用することができる。
この実施例の飲用ストロー１の管状ストロー本体１ｃは、吸い口側の上端１ａ及び容器側の下部を備え、上端近傍から下部まで蛇腹が形成されている。
この蛇腹部分では、山折りと谷折りの繰り返しがあり、円筒形構造を有する。
蛇腹の両端から押されている状態図１（ｂ）では、管状ストロー本体１ｃが縮じみ、蛇腹の両端を引き伸す状態図１（c）では、管状ストロー本体１ｃが長く伸びる。
【００１４】
実施例による飲用ストロー１は、容器２のストロー孔４に突き刺される漏斗状ストロー先端部１ｄを備え、ストロー先端部が、開口を有する尖った狭径の下端１ｂとストロー本体１ｃと気密的に連通する広径の上端とを有する。
【００１５】
実施例による飲用ストロー１は、ストロー先端部１ｄの上端では、ストロー本体１ｃと気密的に連通する広径であり、ストロー先端部１ｄの上端の径がストロー孔４の径より広い。
【００１６】
図２を参照して、実施例による飲用ストロー１の使用方法を説明する。
図２（ａ）に示すように、ストロー先端部１ｄの尖った下端１ｂで、容器２のストロー孔４に突き刺し、開封し、ストロー先端部１ｄの漏斗状形状を利用して、ストロー孔をより広く開口し、ストロー先端部の上端をストロー孔に通過させる。
【００１７】
ストロー先端部１ｄの上端がストロー孔４を通過した後、ストロー先端部１ｄの上端の径がストロー孔４の径より広いので、ストロー先端部の上端がストローが戻って抜けるのを防止する。
この状態で、図２（ｂ）に示すように、蛇腹を引き伸し、管状ストロー本体１ｃが長く伸ばす。
【００１８】
図２（ｂ）に示すように、実施例による飲用ストロー１を容器２の底へ深く差込む。この状態で内容物をストロー１で飲用できる。
【００１９】
この実施例の飲用ストロー１の管状ストロー本体１ｃは、吸い口側の上端１ａ近傍から下部まで蛇腹が形成されている。
蛇腹の両端の位置関係を伸縮方向及び直角な方向においても自由に決めることができ、図２（ｃ）に矢印に示すように、伸縮自在に曲げることができる。
この機能を利用して、飲用後に、蛇腹を縮じめてストローを容器内にまとめておくこともできる。
【００２０】
なお、本発明は前記実施の形態に限定されるものではなく、本発明の趣旨に基づいて種々変形させることが可能であり、それらを本発明の範囲から排除するものではない。
【産業上の利用可能性】
【００２１】
この発明のストローによって、牛乳、ジュース、ミネラルウォーターなどの飲料、流動食品などの包装に利用することができる。
【図面の簡単な説明】
【００２２】
【図１】図１は、この発明による一実施例におけるストロー１がストロー孔４に差込まれた紙容器２を示す斜視図（ａ）、蛇腹が縮じまったストローを示す側面図（ｂ）、蛇腹が伸びたストローを示す側面図（ｃ）である。
【図２】図２は、この発明による実施例のストロー１を使用するステップを示す一部断面側面図である。
【図３】図３は、従来例のストローの使用態様を示すを示す斜視図である。
【符号の説明】
【００２３】
１    ストロー
１ａ    ストロー吸い口
１ｂ    ストロー先端部の下端
１ｃ    ストロー本体
１ｄ    ストロー先端部
２    包装容器
４    ストロー孔
【図１】
0005051843.tif 000002
【図２】
0005051843.tif 000003
【図３】
0005051843.tif 000004